(57)【要約】【課題】使用者とスピーカー部との距離を近くでき、スピーカー部の発する音を使用者に聞き取り易くできる画像形成装置を提供する。【解決手段】画像形成装置１は、画像形成部６と、筐体２と、ハウジング４と、操作パネル９と、スピーカー部４１とを備える。画像形成部６は、用紙Ｓに画像を形成する。筐体２は、画像形成部６を収容する。ハウジング４は、筐体２の上面部に支持される。操作パネル９は、使用者によって操作される。スピーカー部４１は、音による情報を周囲に報知する。ハウジング４は、使用者が操作パネル９の操作を行う前側と、前側の反対の後側とを有する。スピーカー部４１は、ハウジング４内において、前側と後側とのうち、前側に近い側に収容される。【選択図】図３
2018037826.tif 000002
【特許請求の範囲】
【請求項１】
記録媒体に画像を形成する画像形成部と、
前記画像形成部を収容する筐体と、
前記筐体の上面部に支持されるハウジングと、
使用者によって操作される操作部と、
音による情報を周囲に報知するスピーカー部と
を備え、
前記ハウジングは、前記使用者が前記操作部の操作を行う一方側と、前記一方側の反対の他方側とを有し、
前記スピーカー部は、前記ハウジング内において、前記一方側と前記他方側とのうち、前記一方側に近い側に収容される、画像形成装置。
【請求項２】
原稿を読み取る画像読取部を更に備え、
前記画像読取部は、前記ハウジングの上面部に支持され、
前記筐体、前記画像読取部、及び前記ハウジングの間には、胴内空間が形成される、請求項１に記載の画像形成装置。
【請求項３】
前記ハウジングは、前記一方側が開放された略Ｕ字状に形成され、前記筐体の上面部の縁に沿って配される、請求項１、又は請求項２に記載の画像形成装置。
【請求項４】
前記スピーカー部は、周囲に音を放出するスピーカーと、前記スピーカーを支持する支持部とを有し、
前記支持部は、筒状の支持本体部を有し、
前記スピーカーは、前記支持本体部の内部に収容される、請求項１から請求項３のいずれか１項に記載の画像形成装置。
【請求項５】
前記支持部は、前記支持本体部の内表面から突出するフランジ部を更に有し、
前記スピーカー部は、前記スピーカーを前記フランジ部に押圧する押圧部材を更に有する、請求項４に記載の画像形成装置。
【請求項６】
前記スピーカー部は、前記ハウジングに着脱可能である、請求項１から請求項５のいずれか１項に記載の画像形成装置。
【発明の詳細な説明】
【技術分野】
【０００１】
本発明は、画像形成装置に関する。
【背景技術】
【０００２】
特許文献１に記載の画像形成装置は、装置本体と、胴内排紙部と、スキャナーと、スピーカーとを備える。装置本体は、矩形の箱状に形成されている。スキャナーは、胴内排紙部を介して装置本体に下方から支持されている。胴内排紙部は、連結ハウジングを有する。
【０００３】
連結ハウジングは、平面視略Ｕ字状に形成されている。連結ハウジングは、装置本体の上面部の縁に沿って配されている。装置本体と、スキャナーと、連結ハウジングとの間には、胴内空間が形成される。胴内空間には、画像が形成された用紙が排出される。特許文献１に記載の画像形成装置では、スピーカーが連結ハウジング内に配されている。スピーカーは、胴内空間に向けて配されている。この結果、スピーカーの発する音を胴内空間で反響させて、スピーカーの発する音を使用者に聞き取り易くしている。
【先行技術文献】
【特許文献】
【０００４】
【特許文献１】特開平１０−３１３３７３号公報
【発明の概要】
【発明が解決しようとする課題】
【０００５】
しかしながら、特許文献１に記載の画像形成装置では、連結ハウジング内において、使用者から遠い位置にスピーカー部（スピーカー）が配されている。具体的には、連結ハウジング内において、使用者が操作を行う一方側とは逆の他方側にスピーカー部が配されている。したがって、使用者とスピーカー部との距離が遠く、スピーカー部の発する音を使用者が聞き取り難いおそれがある。
【０００６】
本発明は上記課題に鑑みてなされたものであり、その目的は、使用者とスピーカー部との距離が近く、スピーカー部の発する音が使用者に聞き取り易い画像形成装置を提供することにある。
【課題を解決するための手段】
【０００７】
本発明に係る画像形成装置は、画像形成部と、筐体と、ハウジングと、操作部と、スピーカー部とを備える。前記画像形成部は、記録媒体に画像を形成する。前記筐体は、前記画像形成部を収容する。前記ハウジングは、前記筐体の上面部に支持される。前記操作部は、使用者によって操作される。前記スピーカー部は、音による情報を周囲に報知する。前記ハウジングは、前記使用者が前記操作部の操作を行う一方側と、前記一方側の反対の他方側とを有する。前記スピーカー部は、前記ハウジング内において、前記一方側と前記他方側とのうち、前記一方側に近い側に収容される。
【発明の効果】
【０００８】
本発明の画像形成装置によれば、使用者とスピーカー部との距離が近く、スピーカー部の発する音が使用者に聞き取り易い。
【図面の簡単な説明】
【０００９】
【図１】本発明の実施形態に係る画像形成装置を示す斜視図である。
【図２】図１の画像形成装置の構成を示す図である。
【図３】図１の画像読取部が取り外された画像形成装置を示す斜視図である。
【図４】図２のスピーカー部の前側を示す斜視図である。
【図５】図２のスピーカー部の後側を示す斜視図である。
【図６】図５のＶＩ−ＶＩ断面図である。
【図７】図３の第２領域の一部を示す斜視図である。
【発明を実施するための形態】
【００１０】
以下、図面を参照して本発明の実施形態を説明する。ただし、本発明は以下の実施形態に限定されない。なお、図中、同一、又は相当部分については、同一の参照符号を付して説明を繰り返さない。
【００１１】
図１を参照して、本実施形態に係る画像形成装置１の構成について説明する。図１の斜視図は、本実施形態に係る画像形成装置１を示す。図１に示すように、本実施形態の画像形成装置１は、複合機である。
【００１２】
なお、画像形成装置１は、コピー、プリンター、又はファクシミリであってもよい。複合機は、例えば、コピー機能、プリンター機能、及びファクシミリ機能のうち少なくとも２つの機能を有する。
【００１３】
画像形成装置１は、筐体２と、画像読取部３と、ハウジング４と、操作パネル９とを備える。図１において、操作パネル９が向く方向を前方とし、前後方向を規定する。また、画像形成装置１の正面に向かって左手側を左方とし、左右方向を規定する。また、前後方向、及び左右方向と直交する方向を上下方向と規定する。
【００１４】
操作パネル９は、本発明の操作部の一例である。操作パネル９は、表示部９１と入力部９２とを有する。表示部９１は、ディスプレーを有する。表示部９１は、画像形成装置１の各種の設定画面を表示する。入力部９２は、ハードキーを有する。入力部９２は、使用者の操作に応じた操作信号を出力する。
【００１５】
筐体２は、矩形の箱状に形成される。筐体２は、ハウジング４を下方から支持する。詳しくは、筐体２の上面部に、ハウジング４が配される。筐体２の上面部とハウジング４の下面部とは、例えば、固定部材によって固定される。固定部材は、例えば、ネジ、及びビスである。
【００１６】
ハウジング４は、画像読取部３を下方から支持する。ハウジング４の上面部に、画像読取部３が配される。ハウジング４は、前方側が開放された平面視略Ｕ字状に形成される。ハウジング４は、筐体２の上面部の縁に沿って配される。ハウジング４の上面部と画像読取部３の下面部とは、例えば、固定部材によって固定される。
【００１７】
ハウジング４は、使用者が操作パネル９の操作を行う前側と、前側の反対の後側とを有する。ハウジング４は、前側に位置する前側端部Ｆと、後側に位置する後側端部Ｂとを有する。
【００１８】
画像読取部３は、原稿の画像を読み取って画像データを生成する。画像読取部３は、例えば、スキャナーである。筐体２、画像読取部３、及びハウジング４の間には、胴内空間ＩＳが形成される。
【００１９】
図２を参照して、画像形成装置１の構成について更に説明する。図２は、画像形成装置１の構成を示す。図２に示すように、画像形成装置１は、画像形成部６と、排出トレイ８と、制御部１０と、ＦＡＸ基板４１と、スピーカー部４２とを更に備える。
【００２０】
画像形成部６は、用紙Ｓに画像を形成する。画像形成部６は、露光部６１と、現像部６２と、感光体ドラム６３と、転写部６４とを有する。
【００２１】
排出トレイ８は、筐体２の上面部に形成される。本実施形態の画像形成装置１では、画像が形成された用紙Ｓが、胴内空間ＩＳの後側から排出トレイ８に排出される。
【００２２】
用紙Ｓは、本発明の記録媒体の一例である。用紙Ｓは、例えば、普通紙、コピー紙、再生紙、薄紙、厚紙、光沢紙、又はＯＨＰ（Ｏｖｅｒｈｅａｄ  Ｐｒｏｊｅｃｔｏｒ）用紙である。
【００２３】
制御部１０は、画像形成装置１の各部を制御する。詳しくは、制御部１０は、予め記憶されたコンピュータープログラムを実行することにより、例えば、画像読取部３、画像形成部６、操作パネル９、ＦＡＸ基板４１、及びスピーカー部４２を制御する。制御部１０は、例えば、ＣＰＵ（Ｃｅｎｔｒａｌ  Ｐｒｏｃｅｓｓｉｎｇ  Ｕｎｉｔ）から構成される。
【００２４】
制御部１０は、画像形成装置１のファクシミリ機能を用いる際に、例えば、通信ネットワークを介して外部との通信を行うようにＦＡＸ基板４１を制御する。制御部１０は、ファクシミリ機能の送信の際に、外部に画像データを送信するようにＦＡＸ基板４１を制御する。また、制御部１０は、ファクシミリ機能の受信の際に、外部から画像データを受信するようにＦＡＸ基板４１を制御する。
【００２５】
また、制御部１０は、音による情報を周囲に報知するようにスピーカー部４２を制御する。制御部１０は、例えば、ファクシミリ機能を用いる際に、ＦＡＸ基板４１が外部との通信を行っていることを示す音を放出するようにスピーカー部４２を制御する。制御部１０は、ＦＡＸ基板４１が外部に画像データを送信する際と、ＦＡＸ基板４１が外部から画像データを受信する際とで、異なる音を放出するようにスピーカー部４２を制御する。
【００２６】
図３を参照して、ハウジング４の内部について説明する。図３は、画像読取部３が取り外された画像形成装置１を示す。図３に示すように、ハウジング４の内部は、中空状に形成される。
【００２７】
ハウジング４の内部は、例えば、第１領域４ａと、第２領域４ｂと、第３領域４ｃとに区分される。第１領域４ａは、筐体２の左側の縁に沿っており、筐体２の後側の縁から前側に所定の幅でのびている。
【００２８】
第２領域４ｂは、筐体２の右側の縁に沿っており、筐体２の後側の縁から前側に所定の幅でのびている。第３領域４ｃは、筐体２の後側の縁に沿っており、第１領域４ａと第２領域４ｂとの間を所定の幅でのびている。
【００２９】
ハウジング４の内部には、ＦＡＸ基板４１と、スピーカー部４２とが配される。ＦＡＸ基板４１は、ハウジング４内において、前側端部Ｆと後側端部Ｂとのうち、後側端部Ｂに近い側に収容される。ＦＡＸ基板４１は、ハウジング４の第３領域４ｃに配される。したがって、ＦＡＸ基板４１に接続される接続ケーブルが、画像形成装置１の前側に露出するのを防止できる。接続ケーブルは、例えば、電話線である。
【００３０】
ＦＡＸ基板４１は、ハウジング４に着脱可能である。ＦＡＸ基板４１は、例えば、固定部材によってハウジング４に固定される。したがって、画像形成装置１からファクシミリ機能を削除する場合に、ＦＡＸ基板４１を容易に取り外すことができる。
【００３１】
スピーカー部４２は、ハウジング４内において、前側と後側とのうち、前側に近い側に収容される。詳しくは、スピーカー部４２は、前側端部Ｆと後側端部Ｂとのうち、前側端部Ｆに近い側に収容される。スピーカー部４２は、ハウジング４の第２領域４ｂにおいて、前側端部Ｆに近い側に配される。したがって、本実施形態の画像形成装置１では、スピーカー部４２が後側端部Ｂに近い側に配された従来に比して、使用者とスピーカー部４２との距離が近い。この結果、スピーカー部４２の発する音が使用者に聞き取り易くなる。
【００３２】
スピーカー部４２は、ハウジング４の壁面を介して胴内空間ＩＳに隣接するようにハウジング４内に収容される。したがって、スピーカー部４２から放出される音が胴内空間ＩＳで反響する。この結果、スピーカーの発する音を使用者に聞き取り易くできる。
【００３３】
また、本実施形態の画像形成装置１では、胴内空間ＩＳの後側から排出トレイ８に用紙Ｓが排出される。したがって、スピーカー部４２から使用者に向かって放出される音が、胴内空間ＩＳに排出される用紙Ｓによって遮られない。この結果、スピーカー部４２の発する音を、使用者により一層聞き取り易くできる。
【００３４】
図４、及び図５を参照してスピーカー部４２の構成について説明する。図４は、スピーカー部４２の前側を示す。詳しくは、図４は、前側の右側下方から目視されるスピーカー部４２を示す斜視図である。図５は、スピーカー部４２の後側を示す。詳しくは、図５は、後側の左側上方から目視されるスピーカー部４２を示す斜視図である。
【００３５】
図４に示すように、スピーカー部４２は、スピーカー４２ａと、支持部４２ｂとを有する。スピーカー４２ａは、周囲に音を放出する。詳しくは、スピーカー４２ａは、例えば、図２を参照して説明した制御部１０から入力される電気信号に基づいて、周囲に音を放出する。なお、電気信号は、図２を参照して説明したＦＡＸ基板４１から入力されてもよい。
【００３６】
支持部４２ｂは、支持本体部４２ｃと、フランジ部４２ｄとを有する。支持本体部４２ｃは、筒状に形成される。支持本体部４２ｃは、内部にスピーカー４２ａを収容する。
【００３７】
フランジ部４２ｄは、支持本体部４２ｃの内表面から突出して形成される。フランジ部４２ｄは、スピーカー４２ａの縁部に接して、スピーカー４２ａを支持する。
【００３８】
図５に示すように、スピーカー部４２は、押圧部材４２ｅを更に有する。押圧部材４２ｅは、支持本体部４２ｃに支持される。押圧部材４２ｅは、図４を参照して説明したフランジ部４２ｄにスピーカー４２ａを押圧する。押圧部材４２ｅは、例えば、クリップバネ、又は板バネである。クリップバネは、板バネに比して、スピーカー４２ａとの接触面積を低減できる。
【００３９】
図６を参照して、スピーカー部４２について更に説明する。図６は、図５のＶＩ−ＶＩ断面を示す。図６に示すように、スピーカー４２ａは、支持本体部４２ｃの内部に収容される。したがって、スピーカー４２ａの前側から放出される音Ｄ１と、スピーカー４２ａの後側から放出される音Ｄ２とが打ち消し合うことを抑制することができる。この結果、スピーカー４２ａから放出される音を大きくすることができる。
【００４０】
また、スピーカー４２ａは、押圧部材４２ｅによってフランジ部４２ｄに押圧される。したがって、音を放出した後のスピーカー４２ａの振動が抑制される。この結果、スピーカー４２ａの残響を抑制でき、スピーカー部４２の発する音を使用者に聞き取り易くできる。
【００４１】
図７を参照して、スピーカー部４２の着脱について説明する。図７は、ハウジング４の第２領域４ｂの一部を示す。図７に示すように、スピーカー部４２は、ネジ、及びビス等の固定部材４２ｇによって、ハウジング４に固定される。この結果、音を放出する際のスピーカー部４２の振動が抑制される。
【００４２】
また、スピーカー部４２は、ハウジング４に着脱可能である。したがって、画像形成装置１からファクシミリ機能を削除する場合に、スピーカー部４２を容易に取り外すことができる。
【００４３】
以上、図１から図７を参照して、本発明の実施形態に係る画像形成装置１について説明した。但し、本発明は、上記の実施形態に限られるものではなく、その要旨を逸脱しない範囲で種々の態様において実施することが可能である。
【００４４】
例えば、本発明の実施形態では、スピーカー部４２がハウジング４の第２領域４ｂの前側に収容されているが、本発明はこれに限定されない。本発明のスピーカー部４２は、ハウジング４内において、前側に収容されればよい。スピーカー部４２は、例えば、ハウジング４の第１領域４ａにおいて、前側端部Ｆと後側端部Ｂとのうち、前側端部Ｆに近い側に収容されてもよい。
【００４５】
また、スピーカー部４２は、例えば、第２領域４ｂにおいて、ハウジング４の前側の壁面部に隣接するように収容されてもよい。この結果、使用者とスピーカー部４２との距離がより一層近く、スピーカー部４２の発する音が使用者に聞き取り易い。
【００４６】
また、例えば、本発明の実施形態では、ファクシミリ機能を用いる際に、ＦＡＸ基板４１が外部との通信を行っていることを示す音を放出するようにスピーカー部４２を制御していたが、本発明はこれに限定されない。制御部１０は、使用者に有用な情報を示す音を放出するように、スピーカー部４２を制御すればよい。制御部１０は、例えば、画像形成装置１に生じた不具合を示す音を放出するようにスピーカー部４２を制御してもよい。
【００４７】
制御部１０は、例えば、用紙Ｓが無くなったことを示す音を放出するようにスピーカー部４２を制御してもよい。この結果、使用者に用紙Ｓの補給が促される。また、制御部１０は、用紙Ｓの詰まりを示す音を放出するようにスピーカー部４２を制御してもよい。この結果、使用者にＪＡＭ処理が促される。
【００４８】
なお、図面は、理解しやすくするために、それぞれの構成要素を主体に模式的に示しており、図示された各構成要素の厚み、長さ等は、図面作成の都合上から実際とは異なる。また、上記の実施形態で示す各構成要素の材質や形状、寸法等は一例であって、特に限定されるものではなく、本発明の効果から実質的に逸脱しない範囲で種々の変更が可能である。
【産業上の利用可能性】
【００４９】
本発明は、画像形成装置に関するものであり、音による情報を使用者に報知するスピーカー部を備えた画像形成装置に有用である。
【符号の説明】
【００５０】
１        画像形成装置
２        筐体
４        ハウジング
６        画像形成部
９        操作パネル
４２      スピーカー部
Ｓ        用紙
【図１】
2018037826.tif 000003
【図２】
2018037826.tif 000004
【図３】
2018037826.tif 000005
【図４】
2018037826.tif 000006
【図５】
2018037826.tif 000007
【図６】
2018037826.tif 000008
【図７】
2018037826.tif 000009